(57)【要約】　　　（修正有）【課題】データの記憶装置の耐衝撃性を高めるとともに、耐環境性を向上させることができるデータ記憶装置及びこのデータ記憶装置に用いられる筐体を提供すること。【解決手段】データ記憶装置１０は、データを記憶する記憶媒体を内蔵した記憶デバイス１４と、この記憶デバイス１４を包囲して密閉する筐体とを具備する。このような構成とすることにより、筐体の外部の劣悪な環境によって悪影響を受けることはない。例えば筐体の外部の気圧や温度、湿度の変化、あるいは筐体の外部に腐食性ガスが発生した場合であっても、密閉された筐体内にある記憶デバイス１４に何ら悪影響を及ぼすことはない。【選択図】　図２
2004055013.tif 000002
【特許請求の範囲】
【請求項１】
データを記憶する記憶媒体を内蔵した記憶デバイスと、
前記記憶デバイスを包囲して密閉する筐体と、
前記記憶デバイスの周囲の少なくとも一部に配置された緩衝部材と、
前記筐体内に発生する腐食性ガス、腐食性イオン及び水分のうち少なくとも１つを吸収するフィルタと
を具備することを特徴とするデータ記憶装置。
【請求項２】
請求項１に記載のデータ記憶装置であって、
前記フィルタは、前記記憶デバイスの表面に設けられた通気用の穴の近傍に配置されていることを特徴とするデータ記憶装置。
【請求項３】
請求項２に記載のデータ記憶装置であって、
前記フィルタは、前記通気用の穴の周囲に配置されていることを特徴とするデータ記憶装置。
【請求項４】
請求項３に記載のデータ記憶装置であって、
前記フィルタは、前記通気用の穴の周囲にＣ字状に配置されていることを特徴とするデータ記憶装置。
【請求項５】
請求項１に記載のデータ記憶装置であって、
前記筐体は、
前記記憶デバイス表面の一部を囲繞する第１の囲繞部材と、
前記記憶デバイス表面の一部以外の表面を囲繞し、前記第１の囲繞部材の材質とは異なる材質を有する第２の囲繞部材と
を具備することを特徴とするデータ記憶装置。
【請求項６】
請求項５に記載のデータ記憶装置であって、
前記第１の囲繞部材の材質は金属であり、前記第２の囲繞部材の材質は樹脂であることを特徴とするデータ記憶装置。
【請求項７】
請求項１に記載のデータ記憶装置であって、
前記記憶媒体はディスク型の記憶媒体であることを特徴とするデータ記憶装置。
【請求項８】
データを記憶する記憶媒体を内蔵した記憶デバイスを包囲する包囲領域と、
前記包囲領域で包囲された記憶デバイスと外部との間で電気的な接続を行うための接続部と
を具備することを特徴とする筐体。
【請求項９】
請求項８に記載の筐体であって、
前記記憶デバイス表面の一部を囲繞する第１の囲繞部材と、
前記記憶デバイス表面の一部以外の表面を囲繞し、前記第１の囲繞部材の材質とは異なる材質を有する第２の囲繞部材と
を具備することを特徴とする筐体。
【請求項１０】
請求項９に記載の筐体であって、
前記第１の囲繞部材の材質は金属であり、前記第２の囲繞部材の材質は樹脂であることを特徴とする筐体。
【請求項１１】
請求項８に記載の筐体であって、
前記接続部は、前記第２の囲繞部材に一体成型された接続ピンを具備することを特徴とする筐体。
【発明の詳細な説明】
【０００１】
【発明の属する技術分野】
本発明は、例えばディジタルデータを記憶するデータ記憶装置に関する。
【０００２】
【従来の技術】
近年、パーソナルコンピュータやその周辺機器等の需要は急激に増加していることに伴い、これらの機器に用いられる外部記憶装置として、例えばハードディスクドライブ（Ｈａｒｄ　Ｄｉｓｋ　Ｄｒｉｖｅ）（以下、ＨＤＤという。）の需要が増加している。これは、ＨＤＤが例えば他の記憶装置に比べて、記憶容量が大きくかつネットワークとの親和性が高い（アクセス時間が高速である）こと、ビット単価が安いことによるものと考えられる。今後、この特徴はさらに顕在化してくるため、さらにＨＤＤを記憶装置として用いる場面が増えてくるものと思われる。
【０００３】
また、音楽やビデオのデータもデジタル化が進むにつれてＨＤＤに記憶させる機会が増えてきている。そのため、従来のヘッドホン付きラジカセと同様に、ＨＤＤを野外に持ち出すアプリケーションが今後、ますます増加していくと考えられる。
【０００４】
このようにＨＤＤは他の記憶装置に比べ有用性が高いが、その一方で耐衝撃性や耐環境性に弱いため、従来のヘッドホン付きラジカセのように、いつでもどこでも持っていけるという記憶装置ではない。例えば、耐衝撃性について述べると、一般的なＨＤＤでは、非動作時で８００Ｇ程度の重力加速度が加わると精密部品であるスピンドルモータに傷が生じ、回転数のムラ無く回転しつづける事ができなくなる。８００Ｇは、例えばビニールタイル上１０ｃｍからの落下時の衝撃に相当する。動作時には、２００Ｇ程度の耐衝撃性しかなく、これはビニールタイル上に５ｃｍの高さから落下させた衝撃に相当する。これでは、野外を持ち歩いている際に誤って落とすと、間違い無く壊れてしまうことになる。このような耐衝撃性のない製品は野外に持ち出すアプリケーションとしては不向きであると言わざるを得ない。
【０００５】
このような問題を解消するために、ＨＤＤの周囲に緩衝材を配置して、落下衝撃について耐性を持たせてある製品が数多く発売されている。しかし、これらは次に述べるような耐環境性を併せ持つものではない。
【０００６】
【発明が解決しようとする課題】
ＨＤＤは円盤状の記録媒体の上を空気の圧力により２０ｎｍ程度の極めて低い高さで記録再生センサーを搭載した浮上スライダが浮上する。また、それら媒体やセンサーには、特性を劣化させないように１０ｎｍ以下の厚さの保護膜を被着させているが、記録再生特性を向上させるために、浮上量や保護膜の厚さを極限までに小さくしている。その結果、このような極薄膜の保護膜では、ピンホールが存在する場合もあるし、浮上スライダと媒体が接触した際には、傷が生じることもある。このようなピンホールや傷に対して腐食性ガスが吸着するとその個所から錆びが生じ、データの消失に繋がることになる。
【０００７】
また、ピンホールや傷が無い場合でも、腐食性ガスと水分とが反応し、化合物が記憶媒体表面上に生成されることがある。このような場合、データの記録再生のために媒体上を飛行する浮上スライダの浮上量が極低浮上であるため、当該生成物と浮上スライダとが衝突し、浮上スライダが落下、媒体上に傷をつけたり、悲劇的な場合には、浮上スライダに搭載されている記録再生センサーが壊れて二度と記録再生を行うことができなくなることもある。
【０００８】
さらに、気圧の変化によるＨＤＤへの影響を考えると、例えば気圧が小さくなると、ＨＤＤは、その浮上スライダの浮上量も小さくなり、気圧が大きくなると浮上量も大きくなるという特性を持っている。浮上量は小さくなりすぎると、浮上そのものが不安定になり、墜落することとなる。したがって、最低気圧を規定しないとＨＤＤの機能を保証することができなくなる。一般的なＨＤＤは３，０４８ｍの高地での使用までを保証している。これは、０．７気圧に相当する。したがって、０．７気圧以下での使用はできないことになる。しかし、日本ならまだしも、世界には３，０４８ｍ以上の高地での生活は珍しくない。ましてや世界的な観光地ヨーロッパアルプスなどは４，０００ｍ〜５，０００ｍといった高地である。この観光地にＨＤＤを利用したビデオカムコーダやヘッドホンステレオを持って行かない方がおかしい。したがって、このような高地（少なくとも５，０００ｍ）では使用できるような方策をとる必要がある。
【０００９】
以上のような事情に鑑み、本発明の目的は、データの記憶装置、特にハードディスクドライブ等の記憶装置の耐衝撃性を高めるとともに、耐環境性を向上させることができるデータ記憶装置及びこのデータ記憶装置に用いられる筐体を提供することにある。
【００１０】
【課題を解決するための手段】
上記の課題を解決するため、本発明のデータ記憶装置は、データを記憶する記憶媒体を内蔵した記憶デバイスと、前記記憶デバイスを包囲して密閉する筐体と、前記記憶デバイスの周囲の少なくとも一部に配置された緩衝部材と、前記筐体内に発生する腐食性ガス、腐食性イオン及び水分のうち少なくとも１つを吸収するフィルタとを具備する。
【００１１】
本発明では、記憶デバイスを筐体で密閉する構成としたので、筐体外部の劣悪な環境によって悪影響を受けることはない。例えば筐体外部の気圧や温度、湿度の変化、あるいは筐体外部に腐食性ガスが発生した場合であっても、密閉された筐体内にある記憶デバイスに何ら悪影響を及ぼすことはない。ここで、データを記憶する記憶媒体とは、例えば特にディスク型の記憶媒体があげられ、ディスクに対して記録再生を行うためのセンサーが所定の空間あるいは距離をおいて配置されているものが好ましい。本発明ではこのような所定の空間あるいは距離内に、例えばゴミや埃、あるいは腐食性のガス分子等が付着、混入することを防止することで装置の破損、データ損失等を防止したものだからである。また、記憶デバイスの周囲の少なくとも一部に配置された緩衝部材を具備することで、耐衝撃性が増し、例えば本発明のデータ記憶装置を野外に持ち出し誤って落下させた場合であっても壊れることはない。更に、筐体内に発生する有機ガス、腐食性ガス、腐食性イオン及び水分のうち少なくとも１つを吸収するフィルタを具備することで、筐体外に発生する有機ガスや腐食性ガス等の影響を受けないばかりでなく、密閉された筐体内で発生する当該ガスや水分をフィルタで吸収することができる。これにより、記憶デバイス内への腐食性ガスや水分等の流入を防止でき、記憶媒体に及ぼす悪影響を回避することができる。また、例えば、かかるフィルタを記憶デバイスの表面に設けられた通気用あるいは気圧調整用の穴の近傍に配置させることにより、効率良く腐食性ガス等の除去を行うことができる。このような通気用の穴の近傍では、記憶デバイス内部へ流入しようとする腐食性ガス等の対流が多いからである。
【００１２】
また、フィルタを通気用の穴の周囲に配置させることにより、さらに効率良く筐体内にある腐食性ガス等を吸収することができる。このようなフィルタの形状はドーナツ状であってもよい。あるいはフィルタを通気用の穴の周囲にＣ字状に配置させるようにすれば、この記憶デバイスを筐体で密閉した場合であって、このＣ字状フィルタが筐体の内壁に接するような場合には、そのＣ字状の切欠き部分を空気の通路として活用することができる。これにより、フィルタは効率良くガスの吸収が行えるとともに、記憶デバイスの圧力調整に支障を来たすことがなくなる。
【００１３】
本発明の一の形態は、前記筐体は、前記記憶デバイス表面の一部を囲繞する第１の囲繞部材と、前記記憶デバイス表面の一部以外の表面を囲繞し、前記第１の囲繞部材の材質とは異なる材質を有する第２の囲繞部材とを具備する。例えば、第１の囲繞部材の材質は金属とし、第２の囲繞部材の材質は樹脂とすれば、金属製の第１の囲繞部材により筐体の強度を高くすることができる。これに対し第２の囲繞部材を樹脂製とするのは、例えば記憶デバイスと筐体外部との間で電気的な接続を行うためのコネクタに対する絶縁性を確保するためである。さらに、この樹脂製の第２の囲繞部材にカーボンファイバー材料を含ませることで、絶縁性を維持しつつ筐体の強度を高め、耐衝撃性を向上させることができる。
【００１４】
本発明の筐体は、データを記憶する記憶媒体を内蔵した記憶デバイスを包囲する包囲領域と、前記包囲領域で包囲された記憶デバイスと外部との間で電気的な接続を行うための接続部とを具備する。
【００１５】
本発明では、筐体の包囲領域で、外部との間で電気的な接続を必要とする記憶デバイスを包囲して密閉する。これにより、筐体外部の劣悪な環境によって悪影響を受けることを防止できる。例えば筐体外部の気圧や湿度の変化、あるいは筐体外部に腐食性ガスが発生した場合であっても、密閉された筐体内にある記憶デバイスに何ら悪影響を及ぼすことはない。また、例えば、接続部の電気的な接続ピンが第２の囲繞部材に一体成型された構成にすることにより、接続ピンを筐体に圧入する場合に比べ、筐体の密閉性を高くすることができ、装置の耐環境性向上に寄与する。
【００１６】
本発明の更なる特徴と利点は、添付した図面及び発明の実施の形態の説明を参酌することにより一層明らかになる。
【００１７】
【発明の実施の形態】
図１は本発明に係るデータ記憶装置の斜視図であり、図２はその分解斜視図である。このデータ記憶装置１０は、例えば記憶デバイスとして、ＨＤＤ（ハードディスクドライブ）１４を包囲して密閉するための筐体として、上シェル１１と下シェル１２とを有している。ＨＤＤ１４の周囲には、例えば多孔質性のゴムや樹脂等からなる緩衝部材１５が配置されている。具体的には図２に示すように、この緩衝部材１５には、ＨＤＤ１４の大きさ程度に形成された嵌合穴１５ａと、ＨＤＤ１４をこの嵌合穴１５ａに嵌め込んだ状態でＨＤＤ１４のフレキシブル配線１８を通すための通路部１５ｂとが設けられている。これにより、ＨＤＤ１４に対する外部からの衝撃を吸収するようになっている。
【００１８】
下シェル１２には、緩衝部材１５の大きさ程度に形成され緩衝部材１５を収容するための凹部１２ｂが設けられている。この凹部１２ｂの壁面の一部には、ＨＤＤ１４が嵌め込まれた緩衝部材１５を凹部１２ｂに収容した状態で、フレキシブル配線１８を外部との間で電気的に接続するためのコネクタ１９が設けられている。
【００１９】
ここで、一般的なコネクタは端子を樹脂基材に圧入するため、端子と基材の間に隙間が生じる。そのため、コネクタそのものには機密性がない。そこで、本実施形態では、機密性を向上させるため端子を成形する金型の中に予め入れておくインサート成形により作製する。つまり下シェル１２とコネクタ１９との一体成型である。これにより、０．５気圧（５，０００ｍ相当）までの耐気圧性のあるコネクタを提供することができる。
【００２０】
図３は、上シェル１１と下シェル１２との接合部分の拡大断面図である。上シェル１１にはネジ穴１１ａが例えば１０個形成され、また、下シェル１２の上面部１２ｄにも、ネジ穴１１ａに対応する位置にネジ穴１２ａが１０個形成されている。これらのネジ穴１１ａ及び１２ａに、上シェル１１の上面からネジ３５が螺着されて上シェル１１と下シェル１２とが接合されている。また、下シェル１２の上面部１２ｄには、その上面部１２ｄの矩形形状に沿って形成された溝１２ｃが設けられており、この溝１２ｃにはパッキン１３が嵌め込まれている。このパッキン１３は例えばゴム等からなり断面が例えば十字形状をなしている。このパッキン１３の突起部１３ａが溝１２ｃに嵌め込まれた上で、上シェル１１と下シェル１２とが接合されてＨＤＤ１４が密閉されている。
【００２１】
ここで、外気圧が低いときの上シェル１１と下シェル１２とからなる筐体３０の膨張を防止するために、上シェル１１と下シェル１２の材料は、金属のように硬い材料を選択することが好ましい。しかし、製品コストを考慮すると、硬い樹脂、例えば、５％〜１２％のカーボンファイバー入りの樹脂等を選択すれば高い強度と低コストの両者を満足することができる。また、あるいは、前述したように下シェル１２にはコネクタ１９が一体成型されているので、下シェル１２の絶縁性を確保するために、下シェル１２のみをカーボンファイバー入りの樹脂製としてもよい。このような構成とすることにより、絶縁性を維持しつつ筐体３０の強度を高め、耐衝撃性及び耐気圧性を向上させることができる。
【００２２】
図４は、図１及び図２に示したＨＤＤ１４の一例を示す分解斜視図である。このＨＤＤ１４は典型的な内蔵型ＨＤＤを示しており、本体２５にカバー２１が図示しないネジ等により取り付けられることで本体２５の内部装置が密閉されるようなっている。本体２５には記憶媒体となる複数の円盤状の磁気ディスク２２がスピンドルモータ２３により回転可能に組み込まれている。各磁気ディスク２２上には図示しない記録再生センサーを搭載した浮上スライダ２７がアクセスアーム２４により水平方向に移動可能に複数設けられている。また、カバー２１の上面には、例えば通気用あるいは気圧調整用の穴２１ａが穿設されており、さらに、穴２１ａの近傍にはパウチフィルタ１７が取り付けられている。
【００２３】
ここで、本実施形態におけるこのパウチフィルタ１７の作用効果を詳細に説明する。
【００２４】
パウチフィルタとは、不織布で活性炭の粒子を包み込んだものであり、特に水分、硫化ガス、窒化ガスを吸着するフィルタで、主な成分は活性炭である。パウチフィルタは、該フィルタ内を空気が対流等で通過する際に、水分や有機物、イオンガス、腐食性ガスを吸着し、空気からこれらを除去する作用を有する。本実施形態では、ＨＤＤ１４を筐体３０で密閉しているので筐体３０外部からの空気の侵入は避けられるが、その一方で、本発明者は筐体３０内でそれらのガス等が発生する可能性を見出した。
【００２５】
緩衝部材１５はゴムであるため、有機物から形成されており、また、緩衝部材として発泡性ゴムを用いた場合、発泡性ゴムは表面積が多く、有機ガスの発生量が多くなる。これらのガスは発生すると、密閉空間の筐体３０内にいつまでも滞留することとなり、発生量によっては、ブリーザフィルタ（一般に、例えば穴２１ａの下側（上シェル１１の内部裏面側）に取り付けられた内圧調整用及び空気清浄用のフィルタ）が飽和して、筐体３０内へ進入することとなる。ＨＤＤでは微量なガスでも、浮上スライダとディスクとの接触原因となる。
【００２６】
そこで、本実施形態では、パウチフィルタ１７を筐体３０内にＨＤＤ１４とともに同梱し、筐体３０内で発生するその腐食性ガス等を除去している。
【００２７】
パウチフィルタは、１００℃の気温においてもトラップしたガスを放出することはほとんどない。ＨＤＤの保存温度は６５℃程度であるので、１００℃までガスの放出が無ければ、仕様としては充分である。活性炭は、自重の１０％程度のガスを吸着することができるので、緩衝部材やフレキシブルプリント基板、筐体材料からの放出ガス量に併せた活性炭量を予め同梱しておけば、発生し得る腐食ガス全てを吸着できることとなる。本実施形態では、本発明の構成である密閉された筐体３０とパウチフィルタ１７とを組み合わせて用いることにより、従来の密閉されていない空間でパウチフィルタを使用する場合とは、得られる効果が格段に違っている。本実施形態では、発生する腐食性ガス量は密閉されている空間であること、その空間で使用されている材料、すなわち上記緩衝部材１５やフレキシブルプリント基板１８等の材料が予め明らかであることから、パウチフィルタ１７の活性炭量が計算され、それにより、完全に発生する腐食ガスや有機ガス等を除去することができる。一方、密閉された空間でない場合には、使用環境により、腐食性ガスの発生量は異なり、あるときは、不要な量のパウチフィルタを搭載していることになり、また、あるときには、活性炭の量が発生量よりも少なく腐食性ガスを除去できず、データ破壊に至るおそれが生じる。これでは、とても環境信頼性を保証することはできない。本実施形態のデータ記憶装置１０の構成のように、密閉空間とパウチフィルタ１７を組み合わせることにより初めてＨＤＤを搭載したデータ記憶装置の環境信頼性を保証することができる。また特に本実施形態では、パウチフィルタ１７を、例えば空気の対流が比較的多い上記穴２１ａの近傍に配置させているので効率良く腐食性ガス等の除去を行うことができる。
【００２８】
図５及び図６に、このようなパウチフィルタの他の実施形態を示す。
【００２９】
図５では、パウチフィルタ３１をＨＤＤ１４上の穴２１ａの周囲にドーナツ状に配置させている。これにより、さらに効率良く筐体内に発生する腐食性ガス等を吸収することができる。
【００３０】
また図６では、平面Ｃ字状のパウチフィルタ３２を穴２１ａの周囲に配置させている。このＣ字状パウチフィルタ３２の切欠き部３２ａは、例えば、このＨＤＤ１４を筐体３０で密閉した場合であって、このＣ字状パウチフィルタ３２が上シェル１１内側の壁面に接するような場合には、この切欠き部３２ａを空気の通路として活用することができる。これにより、効率良くガスの吸収が行えるとともに、ＨＤＤ１４内部の圧力調整に支障を来たすことがなくなる。
【００３１】
このようにしてＨＤＤが筐体３０に密閉されたデータ記憶装置は、様々な電子機器、例えばコンピュータ、ビデオレコーダやオーディオレコーダ、スティールカメラ等に接続して利用することが可能となる。
【００３２】
次に、本発明のさらに具体的な実施例及び実験結果について図面及び図表を参照しながら説明するとともに、本発明に係るデータ記憶装置の作用効果について説明する。
【００３３】
（実施例１）
本実施例では、ＨＤＤとして２．５インチ型のものを用い、緩衝部材としてエラストマーを用いた。また、パッキンとしてゴムパッキンを使用した。
【００３４】
まず、筐体により内部が密閉されているか否かを確認するために、組み立てたデータ記憶装置１０を例えば減圧チャンバーに入れて、大気圧から０．３気圧（標高８，０００ｍに相当）までのテストを行った。この際、密閉性が保てていないと、筐体は減圧環境下で膨張することがない。したがって、減圧環境下での筐体の膨張量を測定することにより、筐体の密閉性の確認を行うことができる。図７にそのような減圧環境下での筐体の膨張量を示す。図からもわかるように、減圧を進めていくと膨張量が大きくなっている。これにより本実施例で用いる筐体が密閉性を保つ筐体であることがわかる。
【００３５】
次に、衝撃についてのテストを行う。衝撃試験は筐体をビニールタイル上に自由落下を行い、その際の筐体に印加される重力加速度と、筐体と緩衝材に保護されたＨＤＤに印加される重力加速度を加速度ピックアップを用いて測定を行う。図８に衝撃試験の結果を示す。横軸に筐体に印加される重力加速度、縦軸にＨＤＤに印加される重力加速度をとる。この図からもわかるように、筐体に印加される重力加速度を１／１０程度に抑圧できる。このことより、本実施例に係るデータ記憶装置の耐衝撃特性は確保されていることがわかる。
【００３６】
さらに、この密閉性と衝撃性を確保している筐体を用いて、腐食ガステストを行う。腐食ガステストは以下のような手順で行う。
【００３７】
腐食ガスとしては、ＳＯ２、Ｈ２Ｓ、ＮＯ２、Ｃｌの４種類を用い、その濃度は、それぞれ１．４ｐｐｍ、１．４ｐｐｍ、０．０７ｐｐｍ、０．０７ｐｐｍである。これらの各濃度の腐食ガスをチャンバーに流入して、常にその濃度を保てるようにする。また、この腐食ガス環境下で３５℃，９０％の温湿度環境を加える。これらの環境下で９６時間の保存をした後に、データ記憶装置から磁気ディスクを取り外し、ディスクの表面に付着した腐食ガス成分を分析することにより、装置内への腐食ガスの混入の有無を判断する。この際、比較用として、内蔵型の２．５”型ＨＤＤを筐体に入れない状態で腐食ガステストを行う。その結果を図９に示す。
【００３８】
図９からもわかるように、内蔵型ＨＤＤ単体のディスクに付着している腐食ガス成分より、密閉筐体に入れられた本発明に係るデータ記憶装置から取り出したディスクに付着している腐食ガス成分の方が少ない。これは、筐体が密閉に保たれているため、外部の腐食ガス成分がＨＤＤに接触することがないためである。今回の実験では、特にＳＯ２については顕著な効果が現れた。
【００３９】
従来、ＨＤＤにフィルタが取り付けられていたが、これはＨＤＤがオフィス環境で使われることを想定しており、塩素系ガスの多い海岸や、硫化系ガスの多い温泉地、さらには、酸化窒素ガスの多い交通量の激しい交差点などでＨＤＤが使用されることを想定はしていなかった。これに対し、本実験結果からわかるように、例えばＳＯ２ガスの発生が多い温泉地で４日間連続でＨＤＤを使用した場合であっても、本発明に係るデータ記憶装置には全く影響はない。従来のＨＤＤであれば、このような温泉地等の野外で使用することに保証はできない。
【００４０】
（実施例２）
実施例１で用いたデータ記憶装置の筐体内に、パウチフィルタを同梱したデータ記憶装置について、ガステストを行う。今回用いたパウチフィルタは１５ｍｍ×１０ｍｍ×２ｍｍの直方体状の形状をしている。このパウチフィルタをＨＤＤの気圧調整穴の近傍に貼りつける。実施例１では、腐食性ガスとして、外気を意識した成分を選択した。その結果、外部から筐体内へのガスの混入は認められなかったため、今回は、内部から発生するガスについてガステストを行った。実施例１と同様の温湿度環境、保存時間を採用したが、ガス成分は何も加えず、内部からの発生するもののみとした。
【００４１】
このガステストを行う前に、本発明に係るデータ記憶装置を構成する部品単独で発生するガスの分析を行っている。この発生ガスを分析する際も、実施例１と同様の温湿度環境下、保存時間を用いた。図１０に部品から発生するガスを列記し、図１１にガステストの結果を示す。比較用として、実施例１で用いたパウチフィルタなしの本発明に係るデータ記憶装置のガステストの結果も併記する。
【００４２】
図１１からわかるように、パウチフィルタありのデータ記憶装置の方がディスクに付着するガス成分が少ないことがわかる。一方、パウチフィルタなしのデータ記憶装置のディスクに付着していたガス成分は、筐体、緩衝材、フレキシブル配線から発生していると思われるガスが微量ではあるが検出されている。このことから、パウチフィルタを筐体内に入れることにより、構成部品から発生するガスを吸着させ、ディスクへの付着量を抑圧することができるのがわかる。
【００４３】
また、同時に保存時間での筐体内の湿度の測定を行ったので、その結果を図１２に示す。この図から見てもわかるように、パウチフィルタありの筐体内は、９６時間後には、１０％を下回る湿度になっている。一方、パウチフィルタなしの筐体内の湿度はほぼ一定で変わらない。腐食は、腐食性のガスと水分の存在とで進んでいくと言われている。筐体内にパウチフィルタを入れることにより、筐体内からガスと水分の両方を取り除くことができる。したがって、密閉筐体により、外部からの腐食ガス、水分の浸入を防ぎ、パウチフィルタを筐体に同梱することにより、内部からの発生ガス、内部の水分を取り除くことができ、さらなる耐環境性を確保することができることがわかる。
【００４４】
本発明は以上説明した実施形態には限定されるものではなく、種々の変形が可能である。
【００４５】
例えば、上記実施形態及び実施例では組み立て時に上シェルと下シェルとに分かれている筐体を用いたが、この構造と本発明には相関はなく、機能を満たすのであれば、組み立て時に前後に分かれているものでもよい。前後に分かれているものとしては、例えば一方のシェルの中に他方のシェルがスライド式で収容される引き出し式のものであってもよい。筐体の機能としては、外部空気と内部との遮断、衝撃からＨＤＤを保護する、外部気圧が下がった際に、膨張量を極力抑える等が上げられる。
【００４６】
また、緩衝部材やパッキンに関しては、今回の実施形態及び実施形態では、ゴム、樹脂等を使用したが、これらに限らず、機能を満たす材料であれば材料の種類は問わない。パウチフィルタに関しては直方体、ドーナツ形状あるいはＣ字形状のものを１つ用いるようにしたが、形状や個数等は、筐体内の密閉空間の容積や形状等に応じて適宜変更可能である。
【００４７】
記憶装置としてはＨＤＤに限らず、光ディスクを内蔵したデバイスでも本発明を適用できる。
【００４８】
【発明の効果】
以上説明したように、本発明によれば、データの記憶装置、特にハードディスクドライブ等の記憶装置の耐衝撃性を高めるとともに、耐環境性を向上させることができる。
【図面の簡単な説明】
【図１】本発明の一実施形態に係るデータ記憶装置の斜視図である。
【図２】図１に示すデータ記憶装置の分解斜視図である。
【図３】筐体の接続部分の拡大断面図である。
【図４】一実施形態に係る内蔵型ハードディスクドライブの分解斜視図である
【図５】他の実施形態に係るパウチフィルタを取り付けた内蔵型ハードディスクドライブの斜視図である。
【図６】さらに他の実施形態に係るパウチフィルタを取り付けた内蔵型ハードディスクドライブの斜視図である。
【図７】減圧環境下での筐体の膨張量の測定結果を示すグラフである。
【図８】衝撃テストの実験結果を示すグラフである。
【図９】ディスクに付着した腐食ガス量を示した表である。
【図１０】本発明に係るデータ記憶装置の各部品から発生するガス量を示した表である。
【図１１】パウチフィルタの有無で各ガス量を比較した表である。
【図１２】パウチフィルタの有無で保存時間に対する筐体内の湿度を比較した表である。
【符号の説明】
１０…データ記憶装置
１１…上シェル
１２…下シェル
１４…ハードディスクドライブ
１５…緩衝部材
１７，３１，３２…パウチフィルタ
１８…フレキシブルプリント基板
１９…コネクタ
２１…カバー
２１ａ…穴
２２…磁気ディスク
３０…筐体
【図１】
2004055013.tif 000003
【図２】
2004055013.tif 000004
【図３】
2004055013.tif 000005
【図４】
2004055013.tif 000006
【図５】
2004055013.tif 000007
【図６】
2004055013.tif 000008
【図７】
2004055013.tif 000009
【図８】
2004055013.tif 000010
【図９】
2004055013.tif 000011
【図１０】
2004055013.tif 000012
【図１１】
2004055013.tif 000013
【図１２】
2004055013.tif 000014